(57)【特許請求の範囲】
【請求項１】
放送装置から伝送される放送内容に基づき補助伝送要求を受信するように構成され、前記補助伝送要求に応じて少なくとも１つの補助装置に補助コマンドを伝送する少なくとも１つの調整装置を具え、
そのうち、前記少なくとも１つの補助装置が、前記補助コマンドに応じて、前記放送内容を少なくとも１つのリスニング装置に伝送することによって、前記放送装置の補助放送サービスを提供し、
そのうち、前記補助装置及び前記リスニング装置の間でダイレクト通信を採用し、且つ前記少なくとも１つのリスニング装置は前記放送装置からの前記放送内容を選択的に受信し、前記調整装置が提供する資源構成に基づき、各スロットがそれぞれ受信する放送内容を決めることができる、
協調ダイレクト通信システム。
【請求項２】
前記少なくとも１つの調整装置が、更に前記放送装置に確認信号を伝送することを含み、
前記放送装置が前記確認信号を受信した後、前記放送装置と前記少なくとも１つの補助装置は、前記放送内容をブロードキャストする、
請求項１に記載の協調ダイレクト通信システム。
【請求項３】
更に、前記補助放送サービスのために前記放送装置にチャージングするように構成されたチャージングサーバを含む、
請求項２に記載の協調ダイレクト通信システム。
【請求項４】
前記少なくとも１つの調整装置が、前記確認信号を伝送する前に、前記チャージングサーバが、情報信号を介して価格について前記放送装置に通知する、
請求項３に記載の協調ダイレクト通信システム。
【請求項５】
前記チャージングサーバが、前記少なくとも１つの調整装置を介して前記放送装置と通信し、
前記チャージングサーバが、前記放送装置にとって許容できる価格が示される価格確認信号を受信し、前記少なくとも１つの調整装置が、前記確認信号を前記放送装置へ伝送し、前記補助コマンドを前記少なくとも１つの補助装置へ伝送する、
請求項４に記載の協調ダイレクト通信システム。
【請求項６】
更に、前記放送内容についての関連情報を記憶するように構成された記憶サーバを含む、
請求項１に記載の協調ダイレクト通信システム。
【請求項７】
前記補助放送サービスを提供する前記少なくとも１つの補助装置の数に基づき、前記チャージングサーバが、前記放送装置にチャージする、
請求項３に記載の協調ダイレクト通信システム。
【請求項８】
前記補助放送サービスと関連する前記少なくとも１つの調整装置の数に基づき、前記チャージングサーバが、前記放送装置にチャージする、
請求項３に記載の協調ダイレクト通信システム。
【請求項９】
少なくとも１つの調整装置が、少なくとも１つの他の調整装置に前記補助伝送要求を送り届け、前記少なくとも１つのその他の調整装置の伝送範囲にある他の補助装置を制御して前記補助放送サービスを提供する、
請求項１に記載の協調ダイレクト通信システム。
【請求項１０】
前記少なくとも１つの補助装置が、少なくとも１つの放送グループに分けられて前記補助放送サービスを提供する請求項１に記載の協調ダイレクト通信システム。
【請求項１１】
前記少なくとも１つの放送グループが、時間領域の反復伝送方法を採用して前記補助放送サービスを提供する請求項１０に記載の協調ダイレクト通信システム。
【請求項１２】
前記少なくとも１つの放送グループが、同時伝送方法を採用して前記補助放送サービスを提供する請求項１０に記載の協調ダイレクト通信システム。
【請求項１３】
協調ダイレクト通信システムの少なくとも１つの調整装置に適用する協調ダイレクト通信の方法であって、
前記少なくとも１つの調整装置により、放送装置から伝送される放送内容に基づく放送装置からの補助伝送要求を受信し、
前記少なくとも１つの調整装置により、前記補助伝送要求に応じて、少なくとも１つの補助装置に補助コマンドを伝送し、
前記少なくとも１つの調整装置により、前記補助コマンドにより放送内容を伝送する補助放送サービスを提供するよう少なくとも１つの補助装置に命令することを含み、
前記補助装置及びリスニング装置の間でダイレクト通信を採用し、且つ少なくとも１つのリスニング装置は前記放送装置からの前記放送内容を選択的に受信し、前記調整装置が提供する資源構成に基づき、各スロットがそれぞれ受信する放送内容を決めることができる、
協調ダイレクト通信の方法。
【請求項１４】
更に、伝送される前記放送内容に基づき、前記放送装置から前記補助伝送要求を受け取った後、前記放送装置に確認信号を伝送することと、
前記確認信号が前記放送装置に伝送された後、前記放送装置及び前記少なくとも１つの補助装置により前記放送内容がブロードキャストされることと、を含む請求項１３に記載の方法。
【請求項１５】
前記確認信号が前記放送装置に伝送されるステップの前に、更に、前記補助放送サービスに関する価格を取得するためにチャージングサーバと通信することと、
前記チャージングサーバからの情報信号を介して、前記価格を前記放送装置に通知することと、を含む請求項１４に記載の方法。
【請求項１６】
前記価格が許容できることを示す価格確認信号を受信した後、前記確認信号を前記放送装置へ伝送し、前記補助コマンドを前記少なくとも１つの補助装置へ伝送する請求項１５に記載の方法。
【請求項１７】
前記価格が、前記補助放送サービスを提供する前記少なくとも１つの補助装置の数に基づき決定される請求項１５に記載の方法。
【請求項１８】
前記価格が、前記補助放送サービスと関連する前記少なくとも１つの調整装置の数に基づき決定される請求項１５に記載の方法。
【請求項１９】
更に、前記補助伝送要求を少なくとも１つの他の調整装置に送り届け、前記少なくとも１つの他の調整装置の伝送範囲の他の補助装置を制御して、前記補助放送サービスを提供することを含む請求項１３に記載の方法。
【請求項２０】
前記少なくとも１つの補助装置が、少なくとも１つの放送グループに分けられて、前記補助放送サービスを提供する請求項１３に記載の方法。
【請求項２１】
前記補助放送サービスを提供するステップにおいて、前記少なくとも１つの放送グループにより、時間領域の反復伝送方法が採用される請求項２０に記載の方法。
【請求項２２】
前記補助放送サービスを提供するステップにおいて、前記少なくとも１つの放送グループにより、同時伝送方法が採用される請求項２０に記載の方法。
【請求項２３】
放送内容を生成するように構成される放送内容生成ユニットと、
少なくとも１つの調整装置に補助放送サービスを要求するための補助伝送要求を生成するように構成される要求ユニットと、
前記放送内容と前記補助伝送要求を前記少なくとも１つの調整装置に伝送し、前記少なくとも１つの調整装置から確認信号を受信するように構成される通信ユニットと、
を含む放送装置であって、
前記少なくとも１つの調整装置が、前記補助伝送要求に応じて少なくとも１つの補助装置に補助コマンドを伝送し、
そのうち、前記少なくとも１つの補助装置が、前記補助コマンドに応じて、前記放送内容を少なくとも１つのリスニング装置に伝送することによって、前記放送装置の補助放送サービスを提供し、
そのうち、前記補助装置及び前記リスニング装置の間でダイレクト通信を採用し、且つ前記少なくとも１つのリスニング装置は前記放送装置からの前記放送内容を選択的に受信し、前記調整装置が提供する資源構成に基づき、各スロットがそれぞれ受信する放送内容を決めることができる、放送装置。
【請求項２４】
更に、前記補助放送サービスに関する価格が許容されるかどうかを決定するように構成される価格決定ユニットを含む請求項２３に記載の放送装置。
【請求項２５】
前記価格が、前記補助放送サービスを提供する前記少なくとも１つの補助装置の数に基づき決定される請求項２４に記載の放送装置。
【請求項２６】
前記価格が、前記補助放送サービスと関連する前記少なくとも１つの調整装置の数に基づき決定される請求項２４に記載の放送装置。
【請求項２７】
前記少なくとも１つの調整装置が、前記補助伝送要求を少なくとも１つの他の調整装置に送り届けて前記少なくとも１つの他の調整装置の伝送範囲にある他の補助装置を制御し、前記補助放送サービスを提供する請求項２３に記載の放送装置。
【請求項２８】
前記少なくとも１つの補助装置が、少なくとも１つの放送グループに分けられて、前記補助放送サービスを提供する請求項２３に記載の放送装置。
【請求項２９】
前記少なくとも１つの放送グループが、時間領域の反復伝送方法を採用して前記補助放送サービスを提供する請求項２８に記載の放送装置。
【請求項３０】
前記少なくとも１つの放送グループが、同時伝送方法を採用して前記補助放送サービスを提供する請求項２８に記載の放送装置。
【請求項３１】
放送装置から伝送される放送内容を受信するように構成される通信ユニットと、
前記放送内容を記憶するように構成される記憶ユニットと、
調整装置から受信される補助コマンドに応じて、前記放送内容を少なくとも１つのリスニング装置に伝送して補助放送サービスを提供するように、前記通信ユニットを制御するよう構成される制御ユニットと、
を含む補助装置であって、
そのうち、前記補助装置及び前記リスニング装置の間でダイレクト通信を採用し、且つ前記少なくとも１つのリスニング装置は前記放送装置からの前記放送内容を選択的に受信し、前記調整装置が提供する資源構成に基づき、各スロットがそれぞれ受信する放送内容を決めることができる、補助装置。
【請求項３２】
前記通信ユニットが、前記調整装置から前記補助コマンドを受信し、前記制御ユニットの制御を受けて前記放送内容の伝送により前記補助放送サービスを実行する請求項３１に記載の補助装置。
【請求項３３】
複数の前記補助装置が、少なくとも１つの放送グループに分けられて、前記補助放送サービスを提供する請求項３２に記載の補助装置。
【請求項３４】
前記少なくとも１つの放送グループが、時間領域の反復伝送方法を採用して前記補助放送サービスを提供する請求項３３に記載の補助装置。
【請求項３５】
前記少なくとも１つの放送グループが、同時伝送方法を採用して前記補助放送サービスを提供する請求項３３に記載の補助装置。
【請求項３６】
放送装置から補助伝送要求を受信するように構成される通信ユニットと、
前記補助伝送要求に応じて補助コマンドと確認信号を生成するように構成される処理ユニットと、を含み、
前記補助コマンドが生成された後、前記通信ユニットが前記補助コマンドを少なくとも１つの補助装置に伝送して補助放送サービスを実行する調整装置であって、
前記少なくとも１つの補助装置が、前記補助コマンドに応じて、放送装置から伝送される放送内容を少なくとも１つのリスニング装置に伝送することによって、前記放送装置の補助放送サービスを提供し、
そのうち、前記補助装置及び前記リスニング装置の間でダイレクト通信を採用し、且つ前記少なくとも１つのリスニング装置は前記放送装置からの前記放送内容を選択的に受信し、前記調整装置が提供する資源構成に基づき、各スロットがそれぞれ受信する放送内容を決めることができる、調整装置。
【請求項３７】
前記通信ユニットが、チャージングサーバと通信して前記補助放送サービスに関する価格を取得し、情報信号を介して前記放送装置に前記価格を通知する請求項３６に記載の調整装置。
【請求項３８】
前記放送装置から価格確認信号を受信した後、前記通信ユニットが前記確認信号を前記放送装置に伝送し、前記補助コマンドを前記少なくとも１つの補助装置に伝送する請求項３７に記載の調整装置。
【請求項３９】
前記価格が、前記補助放送サービスを提供する前記少なくとも１つの補助装置の数に基づき決定される請求項３７に記載の調整装置。
【請求項４０】
前記少なくとも１つの補助装置が少なくとも１つの放送グループに分けられて前記補助放送サービスを提供する請求項３６に記載の調整装置。
【請求項４１】
前記少なくとも１つの放送グループが、時間領域の反復伝送方法を採用して前記補助放送サービスを提供する請求項４０に記載の調整装置。
【請求項４２】
前記少なくとも１つの放送グループが、同時伝送方法を採用して前記補助放送サービスを提供する請求項４０に記載の調整装置。
【請求項４３】
放送装置により要求された補助放送サービスに関する価格を決定するように構成される価格決定ユニットを含み、
前記価格が前記放送装置により許容されるとき、少なくとも１つの調整装置が少なくとも１つの補助装置を制御して前記放送装置の放送内容をブロードキャストし、前記補助放送サービスを提供するチャージングサーバであって、
前記少なくとも１つの補助装置が、前記調整装置から受信される補助コマンドに応じて、前記放送内容を少なくとも１つのリスニング装置に伝送することによって、前記放送装置の前記補助放送サービスを提供し、
そのうち、前記補助装置及び前記リスニング装置の間でダイレクト通信を採用し、且つ前記少なくとも１つのリスニング装置は前記放送装置からの前記放送内容を選択的に受信し、前記調整装置が提供する資源構成に基づき、各スロットがそれぞれ受信する放送内容を決めることができる、チャージングサーバ。
【請求項４４】
更に、前記少なくとも１つの調整装置又は前記放送装置と通信するように構成される通信ユニットを含む請求項４３に記載のチャージングサーバ。
【請求項４５】
更に、前記放送内容についての関連情報を記憶するように構成される記憶サーバを含む請求項４３に記載のチャージングサーバ。
【請求項４６】
前記価格が、前記補助放送サービスを提供する前記少なくとも１つの補助装置の数に基づき決定される請求項４３に記載のチャージングサーバ。
【請求項４７】
前記価格が、前記補助放送サービスと関連する前記少なくとも１つの調整装置の数に基づき決定される請求項４３に記載のチャージングサーバ。
【請求項４８】
前記少なくとも１つの補助装置が少なくとも１つの放送グループに分けられて前記補助放送サービスを提供する請求項４３に記載のチャージングサーバ。
【請求項４９】
前記少なくとも１つの放送グループが、時間領域の反復伝送方法を採用して前記補助放送サービスを提供する請求項４８に記載のチャージングサーバ。
【請求項５０】
前記少なくとも１つの放送グループが、同時伝送方法を採用して前記補助放送サービスを提供する請求項４８に記載のチャージングサーバ。
【請求項５１】
チャージングサーバに適用される補助放送サービスをチャージングする方法であって、前記方法が、
放送装置によって要求される前記補助放送サービスに関する価格を決定すること、を含み、
そのうち、前記価格が前記放送装置により許容されるとき、少なくとも１つの調整装置が少なくとも１つの補助装置を制御して前記放送装置の放送内容をブロードキャストし、前記補助放送サービスを提供し、
前記少なくとも１つの調整装置により、放送装置から伝送される放送内容に基づく放送装置からの補助伝送要求を受信し、
前記少なくとも１つの調整装置により、前記補助伝送要求に応じて、少なくとも１つの補助装置に補助コマンドを伝送し、
前記少なくとも１つの調整装置により、前記補助コマンドにより放送内容を伝送する補助放送サービスを提供するよう少なくとも１つの補助装置に命令し、
前記補助装置及びリスニング装置の間でダイレクト通信を採用し、且つ少なくとも１つのリスニング装置は前記放送装置からの前記放送内容を選択的に受信し、前記調整装置が提供する資源構成に基づき、各スロットがそれぞれ受信する放送内容を決めることができる、補助放送サービスをチャージングする方法。
【請求項５２】
前記放送装置により要求された前記補助放送サービスに関する価格が決定される前に、更に、前記少なくとも１つの調整装置又は前記放送装置と通信すること、を含む請求項５１に記載の方法。
【請求項５３】
前記放送装置により前記価格が許容された後、更に、前記放送内容に関する関連情報を記憶すること、を含む請求項５１に記載の方法。
【請求項５４】
前記価格が、前記補助放送サービスを提供する前記少なくとも１つの補助装置の数に基づき決定される請求項５１に記載の方法。
【請求項５５】
前記価格が、前記補助放送サービスと関連する前記少なくとも１つの調整装置の数に基づき決定される請求項５１に記載の方法。
【請求項５６】
前記少なくとも１つの補助装置が少なくとも１つの放送グループに分けられて前記補助放送サービスを提供する請求項５１に記載の方法。
【請求項５７】
前記少なくとも１つの放送グループが、時間領域の反復伝送方法を採用して前記補助放送サービスを提供する請求項５６に記載の方法。
【請求項５８】
前記少なくとも１つの放送グループが、同時伝送方法を採用して前記補助放送サービスを提供する請求項５６に記載の方法。
【発明の詳細な説明】
【技術分野】
【０００１】
この発明は、協調ダイレクト通信の方法及びその方法を用いた協調ダイレクト通信システムに関するものである。
【背景技術】
【０００２】
広告は、サービスプロバイダが収益を増やすための魅力的なサービスである。広告のチャージは、受付装置や人口の数に比例して増加する。広告を受け取る人数を増やすために伝送電源を増やすことは、通常のやり方である。別のやり方としては、長期的進化（long term evolution / LTE）やワイマックス（worldwide interoperability for microwave access / WiMAX）のような現在の標準で広く紹介されたマルチメディア放送同報サービス（multimedia broadcast multicast service / MBMS）がある。しかしながら、どちらのやり方も、ＬＴＥやＷｉＭＡＸベースステーションのような高価なベースステーションに頼ることになる。大セル通信（large cell communication）は、より大きな伝送範囲を達成するためにより多くの電源を消費し、配備コストも高くなる。もし望む範囲がさほど大きくないのであれば、資源が無駄となるかもしれない。
【発明の概要】
【発明が解決しようとする課題】
【０００３】
大セル通信は、より大きな伝送範囲を達成するためにより多くの電源を消費し、配備コストも高くなる。もし望む範囲がさほど大きくないのであれば、資源が無駄となるかもしれない。
【課題を解決するための手段】
【０００４】
ここで、協調ダイレクト通信システムを紹介する。実施の形態に基づくと、協調ダイレクト通信システムは、放送装置、少なくとも１つの調整装置及び少なくとも１つの補助装置を含む。放送装置は、伝送される放送内容に基づく補助伝送要求を伝送するように構成される。少なくとも１つの調整装置は、補助伝送要求に応じて、少なくとも１つの補助装置に補助コマンドを伝送するように構成される。少なくとも１つの補助装置は、放送装置の補助コマンドに応じて放送内容を伝送する補助放送サービスを提供するように構成される。
【０００５】
ここで、協調ダイレクト通信の少なくとも１つの調整装置に適用する協調ダイレクト通信の方法を紹介する。実施の形態に基づくと、協調ダイレクト通信の方法は、以下のステップを含む：少なくとも１つの調整装置により、伝送される放送内容に基づく放送装置からの補助伝送要求を受信する；少なくとも１つの調整装置により、補助伝送要求に応じて、少なくとも１つの補助装置に補助コマンドを伝送する；少なくとも１つの調整装置により、補助コマンドにより放送内容を伝送する補助放送サービスを提供するように少なくとも１つの補助装置に命令する。
【０００６】
ここで、放送装置を紹介する。実施の形態に基づくと、放送装置は、放送内容生成ユニット、要求ユニット及び通信ユニットを含む。放送内容生成ユニットは、放送内容を生成する。要求ユニットは、補助放送サービスを少なくとも１つの調整装置に要求するために補助伝送要求を生成する。通信ユニットは、放送内容と補助伝送要求を少なくとも１つの調整装置に伝送し、少なくとも１つの調整装置からの確認信号を受信する。
【０００７】
ここで、補助装置を紹介する。実施の形態に基づくと、補助装置は、通信ユニット、記憶ユニット及び制御ユニットを含む。通信ユニットは、放送内容を受信する。記憶ユニットは放送内容を記憶する。制御ユニットは、調整装置から受信された補助コマンドに応じて、放送内容を伝送して補助放送サービスを提供するよう通信ユニットを制御する。
【０００８】
ここで、調整装置を紹介する。実施の形態に基づくと、調整装置は、通信ユニット、処理ユニットを含む。通信ユニットは、放送装置からの補助伝送要求を受信する。処理ユニットは、補助伝送要求に応じて、補助コマンドと確認信号を生成する。通信ユニットは、補助放送サービスを実行するために、補助コマンドを少なくとも１つの補助装置に伝送する。
【０００９】
ここで、チャージングサーバを紹介する。実施の形態に基づくと、チャージングサーバは価格決定ユニットを含む。価格決定ユニットは、放送装置により要求された補助放送サービスに関する価格を決定するように構成される。放送装置により価格が許容されたとき、放送装置の放送内容がブロードキャストされ、補助放送サービスが提供されるよう少なくとも１つの調整装置が少なくとも１つの補助装置を制御する。
【００１０】
ここで、協調ダイレクト通信システムのチャージングサーバを適用した、補助放送サービスのチャージング方法を紹介する。実施の形態に基づくと、補助放送サービスのチャージング方法は、以下のステップを含む：放送装置により要求された補助放送サービスに関する価格を決定する。放送装置により価格が許容されたとき、少なくとも１つの調整装置は、放送装置の放送内容がブロードキャストされ、補助放送サービスが提供されるよう少なくとも１つの補助装置を制御する。
【発明の効果】
【００１１】
調整装置と補助装置の助けにより、放送内容の伝送範囲は、放送装置の伝送範囲と比較してより広い範囲に拡張される。
【図面の簡単な説明】
【００１２】
【図１Ａ】本発明の実施の形態に基づく協調ダイレクト通信システムを例示した概略図である。
【図１Ｂ】本発明の実施の形態に基づく協調ダイレクト通信の方法を例示したフローチャートである。
【図２】本発明の実施の形態における協調ダイレクト通信システムを例示した概略図である。
【図３】本発明の実施の形態に基づく協調ダイレクト通信システムを例示した概略図である。
【図４】本発明の実施の形態に基づく、グループ伝送の構成を例示する概略図である。
【図５】本実施の形態に基づく、時間領域の反復伝送方法を例示したフロー概略図である。
【図６】本発明の実施の形態に基づく、同時伝送方法を例示したフロー概略図である。
【図７】本発明の実施の形態に基づく、実現可能な同時伝送方法を例示した概略図である。
【図８】本発明の実施の形態に基づく、実現可能な同時伝送方法を例示した概略図である。
【図９】本発明の実施の形態に基づく、実現可能な同時伝送方法を例示した概略図である。
【図１０】本発明の実施の形態に基づく、実現可能な同時伝送方法を例示した概略図である。
【図１１】本発明の実施の形態に基づく、時間領域反復と同時伝送方法の両方の混合実現を示すフロー図である。
【図１２】本発明の実施の形態に基づく、放送装置を例示した機能ブロック図である。
【図１３】本発明の実施の形態に基づく、補助装置を例示した機能ブロック図である。
【図１４】本発明の実施の形態に基づく、調整装置を例示した機能ブロック図である。
【図１５】本発明の実施の形態に基づく、チャージングサーバを例示した機能ブロック図である。
【発明を実施するための形態】
【００１３】
本発明の幾つかの実施の形態は、以下のように添付の図面を参照して完全に説明するが、本発明の全ての実施の形態が例示されるわけではない。事実、本発明の幾つかの実施の形態は、多くの異なる形式で実施されてもよく、ここで述べられる形態に制限するように解釈されてはならず、むしろ、これらの実施形態は、この開示が適用される法的要求を満たすように提供されるものである。可能な限り、図面及び説明において同じ又は類似の部材に同じ符号番号を使用する。
【００１４】
図１Ａは、本発明の実施の形態に基づく協調ダイレクト通信システム１００を例示した概略図である。図１Ａを参照すると、協調ダイレクト通信システム１００は、放送装置１１０、調整装置１２０、補助装置１３０＿１-１３０＿３を含む。放送装置１１０は、伝送される放送内容に基づき、補助伝送要求（assistance transmission request）ＡＴＲを伝送するように構成される。放送装置１１０は、セルフォン、スマートフォン、パーソナルコンピュータ、タブレット、ネットブック、ノートブック、個人用携帯情報端末（personal digital assistant / PDA)などでもよい。放送内容は、例えば、広告、音楽、画像、ビデオ、或いは放送装置１１０がリスニング装置１４０＿１-１４０＿５に伝送したいその他の種類の情報である。放送装置１１０が、限られた伝送範囲又は限られた電源で、広い範囲内に放送内容（例えば広告）をリスニング装置１４０＿１-１４０＿５に伝送するよう望まれるとき、放送装置１１０は、補助伝送要求ＡＴＲにより、調整装置１２０に放送内容の伝送を補助するよう要求する。
【００１５】
補助伝送要求ＡＴＲに応じて、調整装置１２０は、調整装置１２０が補助伝送要求ＡＴＲを受け取ったことを確認するために放送装置１１０に確認信号ＣＳを伝送する。その後、放送内容の伝送を補助するように補助装置１３０＿１-１３０＿３を制御するため、調整装置１２０は、補助コマンドＡＣを補助装置１３０＿１-１３０＿３にブロードキャストする。
【００１６】
補助装置１３０＿１-１３０＿３は、補助コマンドＡＣに応じて放送内容を伝送する補助放送サービスを提供する。各補助装置１３０＿１-１３０＿３は、セルフォン、スマートフォン、パーソナルコンピュータ、タブレット、ネットブック、ノートブック、ＰＤＡなどでもよい。補助放送サービスは、放送装置１１０が放送内容（例えば、広告）をリスニング装置１４０＿１-１４０＿５に伝送するのを補助すると見なすこともできる。この他、放送装置１１０が確認信号ＣＳを受け取った後、放送装置１１０は、それ自身の放送内容の伝送を開始してもよい。
【００１７】
言い換えると、この例示される実施の形態の補助放送サービスは、小さな伝送範囲を具えた複数の補助装置を介して、放送装置１１０の伝送範囲と比較してより大きな伝送範囲を構成することを達成されてもよい。
【００１８】
ダイレクト通信の方法（例えば、ブルートゥース（Bluetooth）、Wi-Fi ダイレクト（Wi-Fi direct）、ジグビー（Zigbee）など）は、放送装置１１０、調整装置１２０、補助装置１３０＿１-１３０＿３、リスニング装置１４０＿１-１４０＿５の間の通信を実行するために適用されてもよいことに注意すべきである。
【００１９】
別の実施の形態では、補助装置は、放送サービスを補助することを要求してもよい。補助装置は、例えば、スマートフォン、タブレット又はノートブック等でもよいので、それ自身の放送内容（例えば広告）を伝送するよう求められるかもしれない。この種の状況においては、補助装置は、放送装置とみなされる。言い換えると、各補助装置は、補助放送サービスを提供するだけでなく、放送装置として補助放送サービスを要求することができる。それゆえに、この例示する実施の形態で開示される全ての補助装置は、補助放送サービスを提供する能力のある放送装置と置き換えることができる。
【００２０】
図１Ｂは、本発明の実施の形態に基づく協調ダイレクト通信の方法を例示したフローチャートである。図１Ａと図１Ｂの両方を参照すると、提案される協調ダイレクト通信の方法は、前述する協調ダイレクト通信システム１００に適用してもよいが、本開示はこれに限られるものではない。ステップＳ１０１では、調整装置１２０は、伝送される放送内容に基づき放送装置１１０から補助伝送要求ＡＴＲを受け取る。ステップＳ１０２では、調整装置１２０は、補助装置１３０＿１-１３０＿３に補助コマンドＡＣを伝送し、補助コマンドＡＣにより伝送される放送内容の補助放送サービスを提供するよう補助装置１３０＿１-１３０＿３に要求する。ステップＳ１０３では、調整装置１２０は、確認信号ＣＳを放送装置１１０へ伝送する。ステップＳ１０４では、放送装置１１０と補助装置１３０＿１-１３０＿３が放送内容をブロードキャストする。ステップＳ１０３は、ステップＳ１０２の前に実行されてもよい。ステップＳ１０４は、必要とされなくてもよい。
【００２１】
また、この実施の形態にかかる協調ダイレクト通信音方法は、図１Ａに例示された実施の形態において十分に例示、教示されているので、更に詳細な説明は行わない。
【００２２】
図２は、本発明の実施の形態における協調ダイレクト通信システム２００を例示した概略図である。図２を参照すると、図１に例示する協調ダイレクト通信システム１００と比較して、協調ダイレクト通信システム２００は、更にチャージングサーバ２１０を含む。チャージングサーバ２１０は、放送装置１１０に対して補助放送サービスをチャージングするように構成される。詳細には、調整装置１２０が、確認信号ＣＳを伝送する前に、放送装置１１０が、調整装置１２０を介してチャージングサーバ２１０と通信を行い、補助放送サービスに関する価格を取得し、情報信号ＩＳにより放送装置１１０に価格を通知してもよい。放送装置１１０が、価格が許容できることを意味する価格確認信号ＰＣＳを返答した後、調整装置１２０は、確認信号ＣＳを放送装置１１０へ伝送し、補助コマンドＡＣを補助装置１３０＿１-１３０＿３へ伝送する。
【００２３】
実施の形態では、チャージングサーバ２１０は、放送内容に関する関連情報を格納するように構成された記憶サーバを含んでいてもよい。詳細には、放送装置１１０が補助伝送要求ＡＴＲを調整装置１２０に伝送するとき、放送装置１１０は、更に放送内容を同時に伝送する。そして、調整装置１２０は、放送内容に関する関連情報が記憶サーバに格納されるように、放送内容をチャージングサーバ２１０へ送り届ける。従って、調整装置１２０が補助装置１３０＿１-１３０＿３に補助放送サービスを提供するよう命じるとき、チャージングサーバ２１０は、調整装置１２０により放送内容を補助装置１３０＿１-１３０＿３に送り届ける。また、リスニング装置１４０＿１-１４０＿５が放送内容から何らかの希望する情報を取得するとき、リスニング装置１４０＿１-１４０＿５は、放送内容に関する関連情報を更に取得するため、記憶サーバにアクセスする。
【００２４】
その他の実施の形態では、チャージングサーバ２１０は、補助放送サービスを提供する補助装置の数に基づき放送装置１１０に対してチャージしてもよい。つまり、補助装置の数が増加すれば、補助放送サービスに関する価格も対応して増加する。しかしながら、本開示の実施の可能性はそれに制限されない。
【００２５】
更に別の実施の形態において、チャージングサーバ２１０は、補助放送サービスに関連する調整装置の数に基づき放送装置１１０に対してチャージしてもよい。つまり、調整装置の数が増加すれば、補助放送サービスに関する価格も対応して増加する。しかしながら、本開示の実施の可能性はそれに制限されない。
【００２６】
図３は、本発明の実施の形態に基づく協調ダイレクト通信システム３００を例示した概略図である。図３を参照すると、協調ダイレクト通信システム３００は、二つの調整装置３２０_１-３２０＿２を含む。補助装置３４０＿４-３４０＿５が、補助装置３３０_１の伝送範囲の外に位置するとき、調整装置３２０_１は、補助伝送要求ＡＴＲを調整装置３２０_２に送り届けて、補助装置３４０_４‐３４０_５が協調装置３２０_２の伝送範囲内で補助放送サービスを提供するよう制御する。同時に、補助放送サービスの範囲が拡大することから、価格も対応して調節される。
【００２７】
図４は、本発明の実施の形態に基づく、グループ伝送の構成を例示する概略図である。図５は、本実施の形態に基づく、時間領域の反復伝送方法を例示したフロー概略図である。時間領域反復伝送方法とは、相互干渉を避けるため、補助装置が同じ放送内容を異なるタイミングで伝送することである。図４と図５を参照すると、この実施形態では、調整装置４２０の制御範囲内に位置する放送装置４１０＿１‐４１０＿６（即ち、補助装置）が、放送グループＧＡ（放送装置４１０＿１−４１０＿３を含む）とＧＢ（放送装置４１０＿４−４１０＿６を含む）に分けられる。スロットＳ１において、調整装置４２０は、放送グループＧＡとＧＢの放送タイミングを割り当てるため、放送グループＧＡとＧＢに資源振り分けを実行する。
【００２８】
放送装置４１０＿１−４１０＿６は、同じ伝送方法を採用してもよいので、それらの伝送が同時に開始された場合、放送装置４１０＿１−４１０＿６は、互いに干渉するかもしれない。それ故、調整装置４２０は、放送グループＧＡとＧＢの相互干渉を避けるため、放送グループＧＡとＧＢの伝送タイミングを分ける。スロットＳ２では、リスニング装置４４０＿１-４４０＿６に放送グループＧＡとＧＢの伝送タイミングを通知するため、調整装置４２０は、リスニング装置４４０＿１-４４０＿６に割り当てられた資源構成をブロードキャストする。スロットＳ３では、放送グループＧＡ（即ち、放送装置４１０＿１−４１０＿３）が放送内容（例えば、広告）をブロードキャストするのが開始され、リスニング装置４４０＿１-４４０＿６が割り当てられた資源構成に基づき、放送内容を受け取る。スロットＳ４では、放送グループＧＢ（即ち、放送装置４１０＿４−４１０＿６）が放送内容（例えば、広告）をブロードキャストするのが開始され、リスニング装置４４０＿１-４４０＿６が割り当てられた資源構成に基づき、放送内容を受け取る。
【００２９】
分けられた伝送タイミングと放送グループＧＡとＧＢの配備により、放送グループＧＡとＧＢ間の干渉が軽減される。
【００３０】
図６は、本発明の実施の形態に基づく、同時伝送方法を例示したフロー概略図である。同時伝送方法とは、補助装置が、同じ放送内容を同時に伝送することである。図４と図６を参照すると、この実施形態において、放送グループＧＡとＧＢが、所定の構成された伝送方法で同時に放送内容を伝送するよう配置される。スロットＳ１´では、調整装置４２０は、放送グループＧＡとＧＢの放送タイミングを割り当てるため、放送グループＧＡとＧＢに資源振り分けを実行する。スロットＳ２´では、リスニング装置４４０＿１-４４０＿６に放送グループＧＡとＧＢの伝送タイミングを通知するため、調整装置４２０は、リスニング装置４４０＿１-４４０＿６に割り当てられた資源構成をブロードキャストする。スロットＳ３では、放送グループＧＡとＧＢが同時に放送内容の伝送を実行する。
【００３１】
放送グループＧＡとＧＢが同じ伝送方法を採用するのであれば、スロットＳ３´において、放送グループＧＡとＧＢの間で激しい干渉が起こるかもしれない。従って、同時伝送方法が採用された場合、放送グループＧＡとＧＢの伝送方法は、適切に設定される。例えば、放送グループＧＡとＧＢが、相互干渉を避けるため、異なる伝送方法を採用する。いくつかの実現可能な同時伝送方法を以下に記載する。
【００３２】
図７は、本発明の実施の形態に基づく実現可能な同時伝送方法を例示した概略図である。この実施の形態において、直交周波数分割多重（orthogonal frequency division multiplexing / ＯＦＤＭ)伝送が採用される。サブキャリアＳ１-Ｓ８が放送内容の信号を載せると仮定され、離散逆フーリエ変換（inverse discrete Fourier transform / IDFT)の後、サブキャリアＳ１-Ｓ８は、ＯＦＤＭシンボルのＣ１−Ｃ８に変換される。その後、第１伝送方法は、シンボルシーケンス７１０を使用し、第２伝送方法は、シンボルシーケンス７２０を使用する。シンボルシーケンス７１０は、例えば、シンボルＣ７-Ｃ８をサイクリックプレフィックス（cyclic prefix）として使用し、従って、シンボルＣ７-Ｃ８は、シンボルシーケンス７１０のシンボルＣ１の前にコピーされ、入れられる。他方、シンボルシーケンス７２０は、例えば、シンボルＣ５-Ｃ６をサイクリックプレフィックスとして使用し、従って、シンボルＣ５-Ｃ６は、シンボルシーケンス７２０のシンボルＣ７の前にコピーされ、入れられる。
【００３３】
図６と図７を参照すると、スロットＳ３´では、放送グループＧＡは、シンボルシーケンス７１０´の構成を採用して伝送を実行してもよく、放送グループＧＢは、シンボルシーケンス７２０´の構成を採用して伝送を実行してもよい。異なる伝送シンボル構成により、スロットＳ３´において放送グループＧＡとＧＢは、それらの相互干渉を回避し、放送内容をリスニング装置４４０＿１-４４０＿６に同時に伝送する。
【００３４】
図８は、本発明の実施の形態に基づく実現可能な同時伝送方法を例示した概略図である。この実施の形態では、ＯＦＤＭ伝送がまだ採用される。サブキャリアＳ１-Ｓ８が放送内容の信号を運ぶと仮定される。先ず、サブキャリアＳ１-Ｓ８は、２つのグループに分類される（即ち、サブキャリアＳ１-Ｓ４とＳ５−Ｓ８）。サブキャリアＳ１-Ｓ４がejθで乗算され（θは位相パラメータ）、サブキャリアＳ５-Ｓ８はejΦで乗算される（Φは位相パラメータ）。乗算されたサブキャリアＳ１-Ｓ８は、結合され、ＩＤＦＴで変換されて、シンボルＣ１´-Ｃ８´を含むシンボルシーケンス８１０を生成する。シンボルシーケンス８１０は、例えば、シンボルＣ７´-Ｃ８´をサイクリックプレフィックスとして使用するので、シンボルＣ７´-Ｃ８´はコピーされ、シンボルシーケンス８１０のシンボルＣ１´の前に入れられる。θとΦの値を調整することにより、他の種類のシンボルシーケンスが生成される。
【００３５】
図６と図８を参照すると、スロットＳ３´では、放送グループＧＡは、シンボルシーケンス８１０´の構成を採用して伝送を実行してもよく、放送グループＧＢは、θとΦの他の値により生成された別のシンボルシーケンスの構成を採用して伝送を実行してもよい。異なる伝送シンボル構成により、スロットＳ３´において放送グループＧＡとＧＢは、それらの相互干渉を回避し、同時に放送内容をリスニング装置４４０＿１-４４０＿６に伝送する。
【００３６】
図９は、本発明の実施の形態に基づく実現可能な同時伝送方法を例示した概略図である。この実施の形態では、シンボルシーケンス９１０（シンボルＤ１-Ｄ８を含む）が放送内容の信号を表すと仮定される。シンボルＤ１-Ｄ８は、線形移相ベクトルＬＰＳにより乗算されシンボルシーケンス９１０´を生成し、そこでシンボルＤ１’ = Ｄ１×１, Ｄ２’ =Ｄ２×ejθ, Ｄ３’ = Ｄ２×ej2θであり、シンボルシーケンス９１０´の残りは、対応して得られる。
【００３７】
図６と図９を参照すると、スロットＳ３´では、放送グループＧＡは、シンボルシーケンス９１０の構成により伝送を実行することを採用してもよく、放送グループＧＢは、シンボルシーケンス９１０´の構成により伝送を実行することを採用してもよい。異なる伝送シンボル構成により、スロットＳ３´において放送グループＧＡとＧＢは、それらの相互干渉を回避し、同時に放送内容をリスニング装置４４０＿１-４４０＿６に伝送する。
【００３８】
図１０は、本発明の実施の形態に基づく実現可能な同時伝送方法を例示した概略図である。この実施の形態では、シンボルシーケンス１０１０（シンボルＥ１-Ｅ８を含む）が放送内容の信号を表すと仮定される。シンボルＥ１−Ｅ８が２つのグループに分けられる（即ち、シンボルＥ１-Ｅ４とＥ５−Ｅ８）。シンボルＥ１-Ｅ４は、それぞれejθで乗算され、シンボルＥ５-Ｅ８は、それぞれejΦで乗算される。その後、乗算されたシンボルは、シンボルシーケンス１０１０´を作り出すように結合される。θとΦの値を調整することにより、他の種類のシンボルシーケンスが生成される。
【００３９】
図６と図１０を参照すると、スロットＳ３´では、放送グループＧＡは、シンボルシーケンス１０１０´の構成を採用して伝送を実行してもよく、放送グループＧＢは、θとΦの他の値により生成された別のシンボルシーケンスの構成を採用して伝送を実行してもよい。異なる伝送シンボル構成により、スロットＳ３´において放送グループＧＡとＧＢは、それらの相互干渉を回避し、同時に放送内容をリスニング装置４４０＿１-４４０＿６に伝送する。
【００４０】
図８と図１０で示される実施形態の違いは、図８におけるejθとejΦはサブキャリアＳ１-Ｓ８で乗算される。しかしながら、図１０に９おいては、ejθとejΦはシンボルＥ１-Ｅ８で乗算される。言い換えると、図８では、乗算運算は、周波数領域で実行されるが、図１０においては乗算運算は、時間領域で実行される。
【００４１】
更に、その他の伝送技術（例えば、時空間ブロック符号(Space-Time Block Code)、空間周波数ブロック符号（Space Frequency Block Coding）や空間多重化 (Spatial Multiplexing)など）も同時伝送方法を実現するために採用されてもよい。しかしながら、開示はそれに制限されない。
【００４２】
図１１は、本発明の実施の形態に基づく、時間領域反復と同時伝送方法の両方の混合実現を示すフロー図である。図４と図１１を参照すると、スロットＳ１´´では、調整装置４２０は、放送グループＧＡとＧＢの放送タイミングを割り当てるため、放送グループＧＡとＧＢに資源振り分けを実行する。スロットＳ２´´において、リスニング装置４４０＿１-４４０＿６に放送グループＧＡとＧＢの伝送タイミングを通知するため、調整装置４２０は、リスニング装置４４０＿１-４４０＿６に割り当てられた資源構成をブロードキャストする。スロットＳ３´´において、放送グループＧＡ（即ち、放送装置４１０＿１-４１０＿３）と放送グループＧＢ（即ち、放送装置４１０＿４-４１０＿６）は、同時伝送方法を採用し、かつ放送内容（例えば、広告）のブロードキャストを同時に開始して、リスニング装置４４０＿１-４４０＿６が割り当てられた資源構成に基づき、放送内容を受信する。スロットＳ４´´において、放送グループＧＡ（即ち、放送装置４１０＿１-４１０＿３）と放送グループＧＢ（即ち、放送装置４１０＿４-４１０＿６）は、再び放送内容（例えば、広告）をブロードキャストし、リスニング装置４４０＿１-４４０＿６が割り当てられた資源構成に基づき、放送内容を受信する。
【００４３】
図１２は、本発明の実施の形態に基づく、放送装置１２００を例示した機能ブロック図である。この実施の形態において、放送装置１２００は、放送内容生成ユニット１２１０、要求ユニット１２２０、通信ユニット１２３０を含む。放送内容生成ユニット１２１０は、放送内容を生み出す。要求ユニット１２２０は、補助放送サービスの少なくとも１つの調整装置を要求するための補助伝送要求を生成する。通信ユニット１２３０は、放送内容と補助伝送要求を少なくとも１つの調整装置に伝送し、少なくとも１つの調整装置からの確認信号を受信する。
【００４４】
実施の形態において、放送装置１２００は、更に、補助放送サービスに関する価格が許容されるかどうかを決定するように構成された価格決定ユニットを含んでいてもよい。
【００４５】
図１３は、本発明の実施の形態に基づく、補助装置１３００を例示した機能ブロック図である。この実施の形態において、補助装置１３００は、通信ユニット１３１０、記憶ユニット１３２０及び制御ユニット１３３０を含む。通信ユニット１３１０は、放送内容を受信する。記憶ユニット１３２０は、放送内容を記憶する。制御ユニット１３３０は、調整装置から受信された補助コマンドに応じて補助放送サービスを提供するために、放送内容を伝送するよう通信ユニット１３３０を制御する。
【００４６】
図１４は、本発明の実施の形態に基づく、調整装置１４００を例示した機能ブロック図である。この実施の形態において、調整装置１４００は、通信ユニット１４１０と処理ユニット１４２０を含む。通信ユニット１４１０は、放送装置からの補助伝送要求を受信する。処理ユニット１４２０は、補助伝送要求に応じて補助コマンドと確認信号を生成する。補助コマンドが生成された後、通信ユニット１４２０は、補助放送サービスを実行するために、補助コマンドを少なくとも１つの補助装置に伝送する。
【００４７】
図１５は、本発明の実施の形態に基づく、チャージングサーバ１５００を例示した機能ブロック図である。この実施形態において、チャージングサーバ１５００は、価格決定ユニット１５１０を含む。価格決定ユニット１５１０は、放送装置により要求された補助放送サービスに関する価格を決定するように構成される。その他の実施形態では、チャージングサーバは、更に、少なくとも１つの調整装置と放送装置と通信するように構成された通信ユニットを含んでいてもよい。チャージングサーバ１５００とその他の装置（例えば、調整装置など）の間の通信は、有線通信（例えば、イーサネット (Ethernet)）又は無線通信（例えば、ブルートゥース（Bluetooth））により実行されることができる。更に、チャージングサーバ１５００とその他の装置との間の通信は、各種有線又は無線通信装置により実行されることができる。価格決定ユニット１５１０は、放送装置により要求される補助放送サービスに関する価格を決定するように構成される。価格は、補助放送サービスを提供する補助装置の数、又は、補助放送サービスと関連する調整装置の数に基づき決定される。放送装置により価格が許容されるとき、少なくとも１つの調整装置が、少なくとも１つの調整装置が放送装置の放送内容をブロードキャストするように少なくとも１つの補助装置を制御し、補助放送サービスを提供する。別の実施の形態では、チャージングサーバは、更に放送内容に関する関連情報を記憶するための記憶サーバを含んでいてもよい。
【００４８】
要約すると、実施の形態では、協調ダイレクト通信の方法及びその方法を用いた協調ダイレクト通信システム、放送装置、補助装置及び調整装置を提供している。放送装置が補助伝送サービスを要求したとき、提供される調整装置は、その制御範囲内の補助装置に、放送装置が放送装置の放送内容を伝送する補助を行うよう命令する。従って、調整装置と補助装置の助けにより、放送内容の伝送範囲は、放送装置の伝送範囲と比較してより広い範囲に拡張される。更に、放送装置が補助放送サービスを要求したとき、チャージングサーバは、補助放送サービスに関する価格を決定するよう採用される。
【００４９】
なお、当業者にとっては、本発明の精神及び範囲を逸脱することなく、いくつかの変更と修正をすることができることは明らかである。以上のように、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【００５０】
実施の形態において、上記される装置、サーバ及びシステムは、ユニットの機能を実行するために少なくとも１つの処理器を含む。実施の形態において、上記される方法は、方法のステップを実行するように構成された少なくとも１つの処理器を含む。
【産業上の利用可能性】
【００５１】
協調ダイレクト通信の方法及びその方法を用いた協調ダイレクト通信システムを提供する。
【符号の説明】
【００５２】
１００、２００、３００、４００    協調ダイレクト通信システム
１１０、４１０＿１-４１０＿６、１２００    放送装置
１２０、３２０＿１-３２０＿２、４２０、１４００    調整装置
１３０＿１-１３０＿３、３３０＿１-３３０＿２、３４０＿１-３４０＿５、１３００    補助装置
１４０＿１-１４０＿５、４４０＿１-４４０＿６    リスニング装置
２１０、１５００    チャージングサーバ
７１０、７１０´、７２０、７２０´、８１０、８１０´、９１０、９１０´、１０１０、１０１０´    シンボルシーケンス
１２１０    放送内容生成ユニット
１２２０    要求ユニット
１２３０、１３１０、１４１０    通信ユニット
１３２０    記憶ユニット
１３３０    制御ユニット
１４２０    処理ユニット
１５１０    価格決定ユニット
Ｓ１０１、Ｓ１０２、Ｓ１０３、Ｓ１０４    協調ダイレクト通信の方法のステップ
ＡＴＲ    補助伝送要求
ＡＣ    補助コマンド
ＣＳ    確認信号
ＧＡ、ＧＢ    放送グループ
ＩＳ    情報信号
ＬＰＳ    線形移相ベクトル
ＰＣＳ    価格確認信号
Ｓ１~Ｓ８    サブキャリア
【図１Ａ】
0005523547.tif 000002
【図１Ｂ】
0005523547.tif 000003
【図２】
0005523547.tif 000004
【図３】
0005523547.tif 000005
【図４】
0005523547.tif 000006
【図５】
0005523547.tif 000007
【図６】
0005523547.tif 000008
【図７】
0005523547.tif 000009
【図８】
0005523547.tif 000010
【図９】
0005523547.tif 000011
【図１０】
0005523547.tif 000012
【図１１】
0005523547.tif 000013
【図１２】
0005523547.tif 000014
【図１３】
0005523547.tif 000015
【図１４】
0005523547.tif 000016
【図１５】
0005523547.tif 000017